(57)【要約】【課題】録音再生時の失敗にも関わらず十分な音量で録音再生動作を行うことのできる録音再生装置を提供する。【解決手段】動画撮影モードの撮影中、第一タッチパネル１２に反応があれば、接触領域よりマイク穴１１の遮蔽部の遮蔽度合いを識別する。この遮蔽度合いに応じて電子ボリュームのゲインを上げて、マイクから音声データを取り込んでメモリーカード１０に記録する。また、マイク穴１１の周囲全体が遮蔽されている場合、ＬＣＤに警告のメッセージを表示して、音声データの記録は行わない。【選択図】図１
2008182555.tif 000002
【特許請求の範囲】
【請求項１】
外装に設けたマイク穴を通して集音し音声信号として出力するマイクと、この音声信号を記録する記録手段とを備えた録音再生装置において、
前記マイク穴の近傍にその周囲を取り囲むように前記外装の表面に設けられ、接触領域を検知するための接触領域検知手段と、
設定したゲインに基づいて前記音声信号の大きさを調節するための電子ボリュームと、
前記接触領域検知手段で検知された接触領域に基づいて前記マイク穴の遮蔽度合いを識別し、この遮蔽度合いに応じて前記電子ボリュームのゲインを設定することで、前記音声信号を増幅する電子ボリューム制御手段とを設けたことを特徴とする録音再生装置。
【請求項２】
前記接触領域検知手段で検知した接触領域が前記マイク穴の周囲全体である場合に、警告する警告通知手段を設けたことを特徴とする請求項１記載の録音再生装置。
【請求項３】
記録手段から再生された音声信号に基づき、外装に設けたスピーカー穴を通して音声を出力するスピーカーを備えた録音再生装置において、
前記スピーカー穴の近傍にその周囲を取り囲むように前記外装の表面に設けられ、接触領域を検知するための接触領域検知手段と、
設定したゲインに基づいて前記音声信号の大きさを調節するための電子ボリュームと、
前記接触領域検知手段で検知された接触領域に基づいて前記スピーカー穴の遮蔽度合いを識別し、この遮蔽度合いに応じて前記電子ボリュームのゲインを設定することで、前記音声信号を増幅する電子ボリューム制御手段とを設けたことを特徴とする録音再生装置。
【請求項４】
前記接触領域検知手段で検知した接触領域が前記スピーカー穴の周囲全体である場合に、警告する警告通知手段を設けたことを特徴とする請求項３記載の録音再生装置。
【請求項５】
前記接触領域検知手段は、タッチパネルであることを特徴とする請求項１ないし４いずれか記載の録音再生装置。
【請求項６】
前記接触領域検知手段は、フォトセンサであることを特徴とする請求項１ないし４いずれか記載の録音再生装置。
【発明の詳細な説明】
【技術分野】
【０００１】
本発明は、十分な音量で録音及び再生を行う手段を備えた録音再生装置に関する。
【背景技術】
【０００２】
近年、技術の進歩とともに電子機器の小型化が進んでいる。小型化は、需要者にとって購買意欲を向上させる重要な要素である反面、機器の操作にあたってはマイナスの面も持ち合わせている。例えば、カメラの場合、フラッシュ装置やレンズなどの部位に操作者の手指が接触しやすくなり、その状態で撮影を行ったために撮影が失敗することがある。
【０００３】
これに対し、特許文献１では、カメラのフラッシュ部の前面プロテクターにタッチパネルを設けてフラッシュ部に手指が掛かったことを検知し、プロテクターを振動させて操作者に警告することで失敗撮影を防止するカメラが提案されている。また、特許文献２では、ビデオカメラのマイクのカバー部材をタッチスイッチで構成し、撮影時に手などがカバー部材に接触したことを検知して、ファインダに警告を表示することで失敗撮影を防止するビデオカメラが提案されている。
【特許文献１】特開２００４―２９４８１９号公報
【特許文献２】特開２０００―２０６６０２号公報
【発明の開示】
【発明が解決しようとする課題】
【０００４】
しかしながら、上記何れの文献も操作者に警告を与える機能を備えることで大概の失敗撮影もしくは失敗録音を防止することはできるものの、操作者が警告に気が付かなければ結局のところ失敗撮影あるいは失敗録音となってしまう。このような失敗撮影などは、折角の撮影チャンスなどを逃すのみならず、極端な場合、操作者の機器そのものに対する興味を失わせかねない可能性がある。とりわけ、特許文献２のようなビデオカメラにおける長時間の録画動作で失敗録音（失敗録画）となってしまった場合の操作者の失望感は計り知れない。
【０００５】
本発明は、上記課題を解決するためになされたもので、録音再生時の失敗にも関わらず十分な音量で録音再生動作を行うことのできる録音再生装置を提供することを目的としている。
【課題を解決するための手段】
【０００６】
上記課題を解決するために、本発明に係る録音再生装置では、外装に設けたマイク穴を通して集音し音声信号として出力するマイクと、この音声信号を記録する記録手段とを備えた上で、前記マイク穴の近傍にその周囲を取り囲むように前記外装の表面に露呈して設けられ、操作者の手指による接触領域を検知するための接触領域検知手段と、設定したゲインに基づいて前記音声信号の大きさを調節するための電子ボリュームと、前記接触領域検知手段で検知された接触領域に基づいて操作者の手指による前記マイク穴の遮蔽度合いを識別し、この遮蔽度合いに応じて前記電子ボリュームのゲインを設定することで、前記音声信号を増幅する電子ボリューム制御手段とを設けた。なお、前記接触領域検知手段で検知した接触領域が前記マイク穴の周囲全体である場合に、操作者に警告する警告通知手段を設けてもよい。
【０００７】
また、記録手段から再生された音声信号に基づき、外装に設けたスピーカー穴を通して音声を出力するスピーカーを備えた録音再生装置においては、前記スピーカー穴の近傍にその周囲を取り囲むように前記外装の表面に露呈して設けられ、操作者の手指による接触領域を検知するための接触領域検知手段と、設定したゲインに基づいて前記音声信号の大きさを調節するための電子ボリュームと、前記接触領域検知手段で検知された接触領域に基づいて操作者の手指による前記スピーカー穴の遮蔽度合いを識別し、この遮蔽度合いに応じて前記電子ボリュームのゲインを設定することで、前記音声信号を増幅する電子ボリューム制御手段とを設ける。なお、前記接触領域検知手段で検知した接触領域が前記スピーカー穴の周囲全体である場合に、操作者に警告する警告通知手段を設けてもよい。
【０００８】
上記何れの録音再生装置においても、前記領域検知手段としては、接触を検知するタッチパネル、もしくは反射光を検知するフォトセンサを用いることができる。
【発明の効果】
【０００９】
このような録音再生装置によって、操作者の指がマイク穴もしくはスピーカー穴の一部に掛かっていても正常に録音動作あるいは再生動作を行うことができる。また、操作者の指がマイク穴もしくはスピーカー穴を完全に覆っている場合は、警告を与えることで操作者に注意を促すことができる。
【発明を実施するための最良の形態】
【００１０】
図１及び図２のように、本発明に係る録音再生装置の例としてのデジタルカメラ１の前面には被写体を撮影するための撮影レンズ３とフラッシュ装置２などが備えられ、上面には電源のオン・オフを行うための電源スイッチ４と、撮影時に押下するレリーズスイッチ５と、つまみをスライドさせてその位置によって選択的に動作モードを切り替えるモード切替スイッチ６とが備えられている。レリーズスイッチ５は、半押しで自動焦点調節（ＡＦ：Ａｕｔｏｍａｔｉｃ  Ｆｏｃｕｓ）及び自動露光調整（ＡＥ：Ａｕｔｏｍａｔｉｃ  Ｅｘｐｏｓｕｒｅ）が行われ、全押下しで撮影が実行される。また、操作者はモード切替スイッチ６によって、静止画の撮影を行う静止画撮影モードと、動画の撮影を行う動画撮影モードと、撮影した任意の静止画または動画を背面のＬＣＤ８に再生表示する再生モードとのうち、何れかの動作モードを選択することができる。
【００１１】
さらに、デジタルカメラ１の上面の外装には略楕円形状のマイク穴１１が設けられており、動画撮影時、このマイク穴１１を通して内部に設けたマイクから集音することができるようになっている。マイク穴１１の近傍には、その周囲を取り囲むように外装表面に露呈して矩形状の第一タッチパネル１２が配設されており、操作者の手指がマイク穴１１に触れたときに、その接触領域を検知できるようになっている。後述するように、この接触領域に応じてマイクから出力される音声信号を増幅することができる。
【００１２】
デジタルカメラ１の背面にはＬＣＤ８が配置されており、静止画もしくは動画撮影モード時にスルー画を表示したり、再生モードに選択された静止画及び動画を表示したり、設定時のメニュー等を表示することができる。さらにＬＣＤ８は、後述するように、動画撮影又は動画再生時において、マイク穴１１周辺もしくスピーカー穴１３周辺の全領域で手指の接触が検知された場合、操作者に対する警告を表示する警告通知手段としても機能する。ＬＣＤ８の隣には４つの押しボタンから構成される操作キー７が配置されており、メニューの選択や、カメラのズームの調整や、画像の画素数や露光等の撮影設定等の様々な操作を行うことができる。さらに操作キー７により、フラッシュ装置２を強制的に発光させる発光モードと強制的に発光禁止にする非発光モードとＡＥ及びＡＦの結果から自動的に発光するか否かを決定する自動発光モードとを切り替えることができる。
【００１３】
デジタルカメラ１の撮影方向に対する右側面には撮影した静止画や動画のデータを記録するためのメモリーカード１０と、このメモリーカード１０を収容してカメラ内部の回路と電気的に接続するためのコネクタを持つメモリーカードスロット９とが備えられている。このメモリーカード１０は、汎用的にデジタルカメラに使用されるＳＤメモリカードやコンパクトフラッシュ（登録商標）等のメディアである。
【００１４】
また、操作キー７の上部の外装にはスリット状にスピーカー穴１３が設けられており、再生モードにおいて動画像を再生する際、内部に設けたスピーカーから録音した音声を再生出力することができるようになっている。マイク穴１１と同様に、スピーカー穴１３近傍には、その周囲を取り囲むように外装表面に矩形状の第二タッチパネル１４が配設されており、操作者の手指がスピーカー穴１３に触れたときに、その接触領域を検知できるようになっている。後述するように、この接触領域に応じてスピーカーへ出力する音声信号を増幅することができる。
【００１５】
次にデジタルカメラ１の構成と機能を説明する。図３のように、デジタルカメラ１の前面には、周知のように撮影レンズ３が配置されている。この撮影レンズ３は、モータ、モータドライバ、駆動機構等を含むレンズ駆動部２０によって光軸方向に移動される。このレンズ駆動部２０は、操作キー７からの入力等に基づいた動作制御部２６からの指示信号により駆動される。撮影レンズ３の光軸方向の背後には、撮影光路を開閉するメカニカルシャッター２１が配置されている。動作制御部２６はレリーズスイッチ５の押下を検出した時、このメカニカルシャッター２１を適当なタイミングで開閉する。
【００１６】
メカニカルシャッター２１の光軸方向の背後には、撮像素子として、ＣＣＤ２２が配置されている。このＣＣＤ２２は、撮影レンズ３を透過して受光面上に結像された被写体光を電気的な撮像信号に変換し、駆動回路２４から供給される転送パルスに基づいてＣＤＳ（相関二重サンプリング）回路２３に出力する。なお、撮像素子には、ＣＣＤ２２に代えてＣＭＯＳセンサを用いてもよい。
【００１７】
ＣＤＳ回路２３は、駆動回路２４から出力された駆動パルスに基づいて駆動され、ＣＣＤ２２から出力された撮像信号のノイズを低減してＡ／Ｄ変換回路２５へ出力する。なお、この駆動回路２４の駆動パルスは動作制御部２６からのパルス信号に同期している。Ａ／Ｄ変換回路２５は、入力されたアナログの撮像信号をデジタルの画像データに変換し、動作制御部２６へ出力する。画像データは各種画像処理を施されて圧縮伸長部２８へ出力される。圧縮伸長部２８は、入力された画像データを圧縮してＪＰＥＧやＭＰＥＧ等のデータ形式に変換し、動作制御部２６がこの圧縮済みの画像データを読み出して、画像ファイルとしてメモリーカード１０に記録する。メモリーカード１０は、画像ファイルを格納するための外部メモリであり、動作制御部２６とコネクタ（図示せず）を介して電気的に接続されている。なお、再生モード時、動作制御部２６はメモリーカード１０に記録された画像データを読み出してＬＣＤ８に再生表示する。
【００１８】
モード切替スイッチ６は、動作モードを切り替えるためのスイッチであり、動作制御部２６はこの動作モードに応じたカメラ全体の動作制御を行う。操作キー７は、デジタルカメラ１の各種設定操作等を行うためのもので、動作制御部２６に対して操作に応じた信号を出力し、これを受信した動作制御部２６は、レンズ駆動部２０へ駆動の指示信号を出力したり、ＬＣＤ８へのメニューの表示や設定等の適当な処理を実行する。
【００１９】
ＬＣＤ８は、動作制御部２６からＬＣＤ駆動回路２７を介して様々な画像が出力される。例えば、静止画及び動画撮影モード時にはスルー画が出力され、再生モード時には選択された静止画像及び動画像が表示され、動作設定時には、設定のためのメニューが表示される。また、第一又は第二タッチパネル１２、１４がそれぞれマイク穴１１周辺又はスピーカー穴１３周辺の全領域で接触を検知した場合、ＬＣＤ８は動作制御部２６からの指示により操作者に対する警告を表示する。
【００２０】
マイク１５とスピーカー１６は、複数の機能ブロックから構成されたオーディオ信号処理部２９を介して動作制御部２６に接続されている。マイク１５は、動画撮影時に録音を行うために設けられている。マイク１５から出力された電気的な音声信号は、オーディオ信号処理部２９にあるアンプ部（ＡＭＰ）３３にて増幅された後、自動レベル制御部（ＡＬＣ）３２にて所定レベルよりも高い音声を該所定レベルに補正する処理が施される。さらに、音声信号は、入力側の電子ボリューム（ＥＶＲ）３１において設定されたゲインに基づいて大きさの調節が施される。後述するように、ゲインは、動作制御部２６が第一タッチパネル１２の検知した接触領域に応じて随時決定し、電子ボリューム３１に設定するものである。電子ボリューム３１から出力された音声信号は、アナログ／デジタル変換部（ＡＤＣ）３０にてデジタルの音声データに変換されて動作制御部２６に入力される。動作制御部２６は、音声データを撮像した画像データとともに圧縮伸張部２８にてＭＰＥＧファイル等に変換した後、動画像ファイルとしてメモリーカード１０に記録する。
【００２１】
スピーカー１６は、再生モードにおいて動画像ファイルを再生する際に音声を出力するためのものである。操作キー７によってＬＣＤ８上で再生する動画像ファイルが選択されると、動作制御部２６は該ファイルをメモリーカード１０から読み出した後、圧縮伸張部２８にて圧縮を解除する。そして、動作制御部２６は、該ファイルのデータを画像データと音声データに分離して、随時、画像データをＬＣＤ駆動回路２７へ出力して画像をＬＣＤ８に表示する一方で、これに同期するように音声データを、電気的な音声信号としてオーディオ信号処理部２９を介してスピーカー１６から音を出力する。オーディオ信号処理部２９に入力された音声データは、オーディオ信号処理部２９のデジタル／アナログ信号変換部（ＤＡＣ）３４にてアナログの音声信号に変換される。さらに、音声信号は、出力側の電子ボリューム（ＥＶＲ）３５においてゲインに基づいて大きさの調節が施される。後述するように、ゲインは、動作制御部２６が第二タッチパネル１４の検知した接触領域に応じて随時決定し、電子ボリューム３５に設定するものである。電子ボリューム３５から出力された音声信号は、アンプ部（ＡＭＰ）３６にて増幅されてスピーカー１６へ出力される。
【００２２】
第一タッチパネル１２は、操作者の手指がマイク穴１１に掛かっている場合に、その接触領域を検知するための接触領域検知手段として設けられている。第一タッチパネル１２は、図４のようにマイク穴１１周辺の領域を縦横に区分した６つの領域（図４の「領域ａ」〜「領域ｆ」参照）のそれぞれについて接触の有無を検知することができる。具体的には、動作制御部２６は、第一タッチパネルの指４０との接触領域４３に含まれる領域ａ〜ｆの組合せを認識して、予めデータ検索メモリ３７に格納されたデータから該当する適当なゲイン比を検索した上で電子ボリューム３１に設定する。このデータは例えば、以下に示す表のように構成することができる。
【００２３】
【表１】
2008182555.tif 000003
【００２４】
この表に基づくと、図４（Ａ）の場合、接触領域４３は領域ｄ、ｅ、ｆからなるためゲイン比は２．５となる。また、図４（Ｂ）の場合、接触領域４３は領域ａ、ｂ、ｃ、ｆからなるためゲイン比は３となる。この表は、領域ａ〜ｆの接触の有無に基づいて、指４０で遮蔽されているマイク穴１１の遮蔽部４１の大きさ（遮蔽度合い）をおおそよ識別し、この大きさに応じて最適なゲイン比を決定したものである。ここで、遮蔽部４１の大きさは、接触領域４３と接するマイク穴１１の外周線の一部と、この外周線の一部の端点同士（図４の「○」印参照）を結んだ線とで囲まれた領域（図４の左下方斜線部分を参照）であるものと識別する。また、遮蔽部４１の大きさは、接触領域４３に含まれる隣接した領域ａ〜ｆの組合せに依存するため値のパタンが限られており、これを上記の表のようなデータとして検索することで、カメラシステムに負担をかけることなく、効率良く最適なゲインを決定することができる。なお、このデータを格納するデータ検索メモリ３７はＳＲＡＭ（Ｓｔａｔｉｃ  Ｒａｎｄｏｍ  Ａｃｃｅｓｓ  Ｍｅｍｏｒｙ）のような不揮発性メモリで構成されている。
【００２５】
このように、接触領域４３、つまりマイク穴１１の遮蔽度合いに応じて録音する音声信号のレベルを増幅することで、マイク穴１１に手指が掛かっていても十分な音量で録音を行うことができる。なお、ゲインの決定は上記の方式に限られず、例えば接触領域４３の大きさと音声信号のレベルが比例関係となるように制御するなど、設計に応じて最適な方式で制御を行うようにすればよい。
【００２６】
また、マイク穴１１の周囲全体が指４０で覆われた場合、つまり、接触領域４３に領域ａ〜ｆの全領域が含まれている場合には、ゲインを大きくしても効果がないため、動作制御部２６の指示により、例えば図５のようにＬＣＤ８にメッセージ４２を表示して操作者に警告を与える。これにより、ユーザーに指４０をマイク穴１１から離すように注意を促すことができる。なお、警告通知手段としてはＬＣＤ８に限られるものではなく、例えばファインダ窓内に表示したり、ＬＥＤを別途設けた上で発光させて警告してもよい。
【００２７】
第二タッチパネル１４は、操作者の手指がスピーカー穴１３に掛かっている場合に、その接触領域を検知するための接触領域検知手段として設けられている。動作制御部２６は、図４を用いて前述した方式と同一方式で電子ボリューム３５のゲインを制御して、スピーカー１６へ出力する音声信号を増幅する。この時、データ検索用メモリ３７には、上記の表と同様に、接触領域からスピーカー１６の電子ボリューム３５に設定する最適なゲイン比を決定するためのデータが予め格納されている。これにより、スピーカー穴１３に手指が掛かっていても十分な音量で再生を行うことができる。また、スピーカー穴１３の全てが手指で覆われた場合、図５と同様にＬＣＤ８にメッセージを表示して操作者に警告を与え、ユーザーに注意を促すことができる。
【００２８】
動作制御部２６は、カメラシステムが行う各処理において一連の流れを統括制御するものであり、適宜判定処理を行いつつ、各部に順次適当な出力処理を、もしくは各部からの入力処理を行うものである。動作制御部２６は、静止画及び動画撮影モードにおいて、操作キー７からの入力に基づきレンズ駆動部２０を制御し、ＬＣＤ８にスルー画を出力する。また、動作制御部２６は、レリーズスイッチ５の半押を検出してＡＥ及びＡＦの処理を行い、その後、レリーズスイッチ５の全押を検出してメカニカルシャッター２１を制御して撮影処理を行う。
【００２９】
さらに、動作制御部２６は、画像の撮影後、Ａ／Ｄ変換回路２５から入力される画像データを圧縮伸張部２８へ出力して圧縮し、メモリーカード１０に記録する。動画撮影モードの場合、マイク１５からオーディオ信号処理部２９を介して音声信号も取り込んで画像データとともに圧縮してメモリーカード１０に記録する。この時、第一タッチパネル１２で検知した指４０の接触領域４３に基づいてゲインを決定し、電子ボリューム３１に随時設定する。
【００３０】
一方、再生モードにおいては、動作制御部２６は、メモリーカード１０より画像データを読み込み、圧縮伸張部２８へ出力して圧縮解除した上でＬＣＤ８にそれぞれ出力する。動画像データを再生する場合、同時にメモリーカード１０から音声データを読み込んで圧縮解除した上で、オーディオ信号処理部２９を介してスピーカー１６へ出力する。この時、第二タッチパネル１４で検知した指４０の接触領域に基づいてゲインを決定し、電子ボリューム３５に随時設定する。
【００３１】
次にデジタルカメラ１の作用効果を説明する。図６のように、動画撮影モードにおいて、動作制御部２６は、レリーズボタン５が押下されたことを検知すると動画撮影を開始する（ｓｔ１）。撮影中、第一タッチパネル１２に反応があれば（ｓｔ２）、第一タッチパネル１２に含まれる領域ａ〜ｆごとに接触の有無を検出する（ｓｔ３）。ここで、領域ａ〜ｆの全領域で接触が検知されている場合（ｓｔ４）、穴の周囲全体が遮蔽されていると判断し、ＬＣＤ８に警告のメッセージ４２を表示して（ｓｔ８）、音声データの記録は行わない。そうでない場合、領域ａ〜ｆのうち接触領域４３に含まれる領域を基にデータ検索メモリ３７から最適なゲインを検索して電子ボリューム３１に設定し（ｓｔ５）、マイク１５から音声データを取り込んでメモリーカード１０に記録する（ｓｔ６）。一方、第一タッチパネル１２に反応がなければ（ｓｔ２）、ゲインの調整は行わずに音声データを記録する（ｓｔ６）。これは録音が終了するか、もしくは中断されるまで繰り返される（ｓｔ７）。
【００３２】
また、図７のように、再生モードにおいて動作制御部２６は、操作キー７で選択した動画像ファイルの再生の指示が入力されると、再生動作を開始する（ｓｔ１１）。再生中、第二タッチパネル１４に反応があれば（ｓｔ１２）、第二タッチパネル１４に含まれる領域ａ〜ｆごとに接触の有無を検出する（ｓｔ１３）。ここで、領域ａ〜ｆの全領域で接触が検知されている場合（ｓｔ１４）、穴の周囲全体が遮蔽されていると判断して、ＬＣＤ８に警告のメッセージを表示して（ｓｔ１８）、音声データの再生は行わない。そうでない場合、領域ａ〜ｆのうち接触領域に含まれる領域を基にデータ検索メモリ３７から最適なゲインを検索して電子ボリューム３１に設定し（ｓｔ１５）、メモリーカード１０から読み込んだ音声データをスピーカー１６へ出力して再生する（ｓｔ１６）。一方、第二タッチパネル１４に反応がなければ（ｓｔ１２）、ゲインの調整は行わずに音声データを再生する（ｓｔ１６）。これは再生が終了するか、もしくは中断されるまで繰り返される（ｓｔ１７）。
【００３３】
このような実施形態のデジタルカメラ１により、動画撮影において操作者が誤ってマイク穴１１に手指を掛けた状態においても正常に録音が可能であるとともに、動画再生において操作者が誤ってスピーカー穴１３に手指を掛けた状態においても正常に再生が可能となる。なお、マイク穴１１やスピーカー穴１３、並びに第一及び第二タッチパネル１２、１４の形状は本実施形態に限られるものではなく、円形などの他の形状でもよい。
【００３４】
また、本実施形態では接触領域検知手段としてタッチパネルを用いたが、代わりにフォトセンサを用いてもよい。この場合、図８のようにマイク穴１１を取り囲むように複数のフォトセンサ４６を設けたうえで、その表面をカバープレート４５で一体に覆い、フォトセンサ４６ごとに受光の有無を検知することで指４０の接触を検知する。あるいは、反射型のフォトセンサを用いて、フォトセンサの発した光の反射光を検知することで指４０の接触を検知してもよい。
【００３５】
この実施形態において、マイク穴１１の遮蔽部４７は、図８（Ａ）のように遮光を検知したフォトセンサ４６のうち両端にあるもの同士（図８（Ａ）のフォトセンサｇ及びｈを参照）を結んだ線とマイク穴１１の外周線とで囲まれる部分であって、接触を検知したフォトセンサ４６がある側の領域と識別することができる。ここで、フォトセンサ４６は所定位置にあるために、この遮蔽部４７の大きさ（遮蔽度合い）は、両端のフォトセンサ４６の組合せによって決定される。したがって、前述したタッチパネルを用いた実施形態と同様に、予めＳＲＡＭなどに２つのフォトセンサ４６の組合せとゲイン比のデータを記録しておけば、動作制御部２６は効率的にゲイン設定を行うことができる。
【００３６】
なお、図８（Ｂ）のような場合では、実際にマイク穴１１に指４０が掛かっていても、接触を検知したフォトセンサ４６のうち両端にあるもの同士（図８（Ｂ）のフォトセンサｉ及びｊを参照）を結んだ線とマイク穴１１の外周線とが交差しないため、マイク穴１１の遮蔽部４７がないものとみなされてしまうが、このようなケースにおいてマイク穴１１が実際に覆われている部分の大きさは微小であるため現実的に問題はない。したがって、この実施形態においても、前述した実施形態と同様の作用効果を得ることができる。
【００３７】
なお、この実施形態におけるフォトセンサ４６をタッチパネルの小片に置き換えても、同様の作用効果を得ることができる。また、上記実施形態はデジタルカメラを例として挙げたが、ＩＣレコーダーのような携帯型録音再生機器や、ビデオカメラや、カメラ付き携帯電話などの電子機器についても適用できる。
【図面の簡単な説明】
【００３８】
【図１】本発明に係る録音再生装置としてのデジタルカメラの前面側斜視図である。
【図２】本発明に係る録音再生装置としてのデジタルカメラの背面側斜視図である。
【図３】デジタルカメラの電気的構成である。
【図４】マイク穴に指掛かりが発生した場合の遮蔽部の概念図である（タッチパネル使用時）。
【図５】マイク穴を全て覆った場合の警告表示画面である。
【図６】録音動作のフローである。
【図７】再生動作のフローである。
【図８】マイク穴に指掛かりが発生した場合の遮蔽部の概念図である（フォトセンサ使用時）。
【符号の説明】
【００３９】
１  デジタルカメラ
５  レリーズスイッチ
６  モード切替スイッチ
７  操作キー
８  ＬＣＤ
１０  メモリーカード
１１  マイク穴
１２  第一タッチパネル
１３  スピーカー穴
１４  第二タッチパネル
１５  マイク
１６  スピーカー
２９  オーディオ信号処理部
３１，３５  電子ボリューム
３７  データ検索メモリ
４０  指
４１，４７  遮蔽部
４６  フォトセンサ
【図１】
2008182555.tif 000004
【図２】
2008182555.tif 000005
【図３】
2008182555.tif 000006
【図４】
2008182555.tif 000007
【図５】
2008182555.tif 000008
【図６】
2008182555.tif 000009
【図７】
2008182555.tif 000010
【図８】
2008182555.tif 000011